(57)【特許請求の範囲】
【請求項１】
扁平な函状に形成したメールボックスの内部に照明器具を配置して形成した照明付きメールボックスにおいて、上記メールボックスに投函された郵便物を取出し得る取出し扉をメールボックスの一側面に設け、上記メールボックスの内面の上記取出し扉に対向する対向面に郵便投函孔を設け、この対向面に向って照明光を照射するように設定した照明器具をメールボックスの内面に設け、上記対向面に上記照明器具から照射される照明光を反射させる反射面を設けると共に、この反射面によって照明光を取出し扉方向に向って反射させて成ることを特徴とする照明付きメールボックス。
【請求項２】
対向面に向って照射する照明器具を複数個設け、メールボックス内面の上記対向面近傍に上記照明器具のうち少なくとも一つを設けたことを特徴とする請求項１に記載の照明付きメールボックス。
【請求項３】
取出し扉の開閉を検知する開閉検知手段をメールボックスに設け、開閉検知手段が取出し扉の開放を検知した後にタイミングを遅延させて照明器具を点灯させる制御手段を設けたことを特徴とする請求項１に記載の照明付きメールボックス。
【発明の詳細な説明】
【０００１】
【発明の属する技術分野】
本発明は、宅配物を収納するためにその底面積を広くしてその容量を大きくした函状の宅配ボックスに載設したメールボックスに関する発明である。
【０００２】
【従来の技術】
近年、留守宅などにでも宅配物を安全に収納保管させることのできる宅配ボックスを設置する建物が増えているものである。例えば、図５に示すものは、集合住宅に設置した宅配ボックスの例である。
【０００３】
上記図５にも示したように、この宅配ボックス１７は便宜上メールボックス１と隣接して設けられるものであって、その場合、使い勝手や意匠性を考慮すると、宅配ボックス１７に載設するようにメールボックス１を配置する構造のものが多い。ここで、宅配ボックス１７はその内部に宅配物１８を収納保管するものであるからその底面積やかさは大きいものであり、その宅配ボックス１７に載設されたメールボックス１もその底面積は大きいものになり、それに伴って形状的には上記メールボックス１は扁平な函状体になるものである。ここで、メールボックス１は基本的に採光がされにくい函体であるため、メールボックス１の内部を明るくするように照明器具を備えるものがあった。通常、この照明器具はメールボックス１の内部に収納保管される郵便物を確認し易いものとするためにメールボックス１の底面を照射するようにメールボックス１の上面に設けられるものである。
【０００４】
【発明が解決しようとする課題】
ところで、上記宅配ボックス１７に載設した扁平の函状に形成されたメールボックス１では扁平形状であるゆえに更に採光がされにくいものであり、メールボックス１に照明器具を備える必要性は高いものである。しかしながら、この扁平の函状に形成されたメールボックス１は、図４に示すように、メールボックス１の上面にメールボックス１の底面を照らすように照明器具３'を設けても、その高さ寸法の低さゆえ、上記照明器具３'が照射した照明光は拡散せずに上記照明器具３'に対向するメールボックス１の底面の一部を照射するに留まり（図４中Ｃ部分）、メールボックス１の底面全体を照らすことは難しいものであった。
【０００５】
本発明は上記の点に鑑みてなされたものであり、メールボックスの底面全体を照らすことのできる照明付きのメールボックスを提供することを課題とするものである。
【０００６】
【課題を解決するための手段】
上記課題を解決するために本発明の請求項１に係る照明付きメールボックスは、扁平な函状に形成したメールボックス１の内部に照明器具を配置して形成した照明付きメールボックスにおいて、上記メールボックス１に投函された郵便物を取出し得る取出し扉２をメールボックス１の一側面に設け、上記メールボックス１の内面の上記取出し扉２に対向する対向面１ａに郵便投函孔１４を設け、この対向面１ａに向って照明光を照射するように設定した照明器具３をメールボックス１の内面に設け、上記対向面１ａに上記照明器具３から照射される照明光を反射させる反射面４を設けると共に、この反射面４によって照明光を取出し扉２方向に向って反射させたことを特徴とする。これにより、メールボックス１の内面の上記取出し扉２に対向する対向面１ａに設けた反射面４によって上記対向面１ａに向って照明器具３が照射した照明光をメールボックス１の取出し扉２に向って反射させてメールボックス１の底面全体を照らすことができるものであって、特に、対向面１ａに近接するメールボックス１の底面、つまり、取出し扉２から見て奥方部分のメールボックス１の底面、を強く照らすことができるものであり、取出し扉２を開放した際に最も暗くて見えにくかった取出し扉２から見て奥方部分のメールボックス１の内部を明るくしてメールボックス１の内部に収納保管された郵便物を確認し易くし、また、取出し扉２を開放した使用者は取出し扉２に対向する対向面１ａが目に入るものであるが、その対向面１ａに設けた反射面４が光源になっていることから、上記使用者に視覚的にメールボックス１の内部がより明るい状態であるように感じさせることができ、更に、上記光源は照明光の間接光で構成されているために上記使用者に眩しさを感じさせることがないものである。
【０００７】
また、請求項２に係る照明付きメールボックスは、請求項１において、対向面１ａに向って照射する照明器具３を複数個設け、メールボックス１の内面の上記対向面１ａ近傍に上記照明器具３のうち少なくとも一つを設けたことを特徴とする。これにより、メールボックス１の内面の上記対向面１ａの近傍に設けた照明器具３が照明光をより強く対向面１ａの反射面４に当てることができて、上記反射面４により反射させる光の照度を向上させて、より確実にメールボックス１の底面全体を照らすことができるものである。
【０００８】
また、請求項３に係る照明付きメールボックスは、請求項１において、取出し扉２の開閉を検知する開閉検知手段をメールボックス１に設け、開閉検知手段が取出し扉２の開放を検知した後にタイミングを遅延させて照明器具３を点灯させる制御手段を設けたことを特徴とする。これにより、取出し扉２を開放した瞬間にはメールボックス１の内部は暗い状態であって、その後、タイミングを遅延してメールボックス１の内部が照明器具３の点灯により照らされることから、メールボックス１の取出し扉２を開放した使用者は一旦暗い状態のメールボックス１の内部を見た後に照明により照らされた状態のメールボックス１の内部を見ることになり、そのギャップから上記使用者に視覚的にメールボックス１の内部をその照度以上に明るく感じさせることができるものである。
【０００９】
【発明の実施の形態】
以下、本発明を添付図面に示す実施形態に基づいて説明する。
【００１０】
図１には本発明の実施の形態の例を示すものであるが、この照明付きメールボックスは、先の従来技術の項で例示した図５のように、宅配物１８を収納保管する宅配ボックス１７に載設されたメールボックス１で構成されるものであって、上記メールボックス１は宅配ボックス１７と同様に底面積を広く形成された扁平な函状に形成されているものである。なお、メールボックス１とはその内部に郵便物等を収納保管する、いわゆる家庭用ポストである。
【００１１】
このメールボックス１は、その一側面１ｂにおいて開口１９を形成し、上記開口１９を開閉自在にした取出し扉２を配置しているものである。本例では、開口１９はメールボックス１の一側面１ｂ全体に形成され、取出し扉２は上記開口１９を閉塞できるように上記一側面１ｂ全体の大きさの扉面を有するものである。この取出し扉２は上記開口１９の端部に設けたヒンジ等で構成した回動部１５と連結して回動自在にし、上記開口１９を開閉自在にしているものである。また、メールボックス１の内面のうち上記一側面１ｂに隣接する一側面１ｃには重ねて照明制御ブロック７が上記一側面１ｃを被覆するように装着されている。
【００１２】
この照明制御ブロック７は、照明器具３と制御回路８とを埋設した幅を薄く形成した縦長扁平状のユニット体である。上記照明器具３はメールボックス１の内面のうち上記取出し扉２に対向する対向面１ａに向って照射するように設定されているものであり、本例ではその照明器具３として白色ＬＥＤが用いられている。また、上記制御回路８は取出し扉２の開閉を検知する開閉検知手段と上記開閉検知手段に連動して照明器具３のオン・オフを制御する制御手段であり、具体的に言うと、図２に示すように、取出し扉２の開閉に連動して回路を開閉する開閉スイッチ９にマイコン１０を接続し、上記マイコン１０にドライブ回路１１を介して照明器具３を接続して形成した信号回路である。なお、この例においては、更に上記マイコン１０に通信用ＩＣ１２を接続し、上記通信用ＩＣ１２から通信伝送路１３を延出している。本例では、この通信伝送路１３として、ＲＳ４８５規格の伝送路を用いている。また、図中１６は外部電源給電用の定電圧回路である。ここで、上記開閉スイッチ９は照明制御ブロック７の取出し扉２に近接した側端部にスイッチハンドル９ａを突設して回路を開閉させるものであり、上記スイッチハンドル９ａは開口１９を閉塞した状態の取出し扉２の扉面が当接するように配置されている。
【００１３】
上記のように構成された制御回路８は、開閉スイッチ９を介して取出し扉２の開閉を検知したマイコン１０が照明器具３の照明のオン・オフを制御するものである。本例では、取出し扉２が開口１９を開放した際に照明器具３の照明を３０秒間点灯させるようにすると共に、取出し扉２が開口１９を閉塞した際に照明器具３の照明を消灯させるように設定しているものである。
【００１４】
また、メールボックス１の内面のうち上記取出し扉２に対向する対向面１ａには上述したように照明器具３により照明光が照射されるものであるが、上記対向面１ａにはこの照明器具３が照射した照明光を反射させる反射面４が設けられているものである。この反射面４としては、上記照明光を良好に反射させるように、上記対向面１ａに鏡面仕上を施して形成したり、上記対向面１ａにメタリック塗装を施して形成しているものである。なお、図中１４は配達人が郵便物等を投函する郵便投函孔である。
【００１５】
上記のように構成したメールボックス１は、取出し扉２が開口１９を開放した際には、制御回路８を介して制御された照明器具３が対向面１ａに向って照明光を照射し、上記対向面１ａに向って照射された照明光は対向面１ａに設けた反射面４によって取出し扉２方向に向って反射されるものであり、メールボックス１の底面全体（図１中Ａ部）を照らすことができるものである。このように対向面１ａの反射面４を光源とするようにメールボックス１の内部を照らすために、特に、対向面１ａに近接するメールボックス１の底面、つまり、取出し扉２から見て奥方部分のメールボックス１の底面、を強く照らすことができるものであり、取出し扉２が開口１９を開放した際に最も暗くて見えにくかった取出し扉２から見て奥方部分のメールボックス１の内部を明るくすることができ、メールボックス１の内部に収納保管された郵便物を確認し易くしているものである。また、取出し扉２を開放した使用者は取出し扉２に対向する対向面１ａが目に入るものであるが、その対向面１ａの反射面４が光源になっていることから、上記使用者に視覚的にメールボックス１内部がより明るい状態であるように感じさせることができ、更に、上記光源は照明光の間接光であるために上記使用者に眩しさを感じさせることがないものである。
【００１６】
また、図３に示すように、実施の形態の他例として、照明制御ブロック７の取出し扉２に対向する対向面１ａに近接する部分に照明器具３を更に一つ加えて設けたものも好ましい。このようにすることで、上記対向面１ａの近傍に設けた照明器具３によって照明光をより強く対向面１ａの反射面４に当てることができて、上記反射面４により反射させる光の照度を向上させて、より確実にメールボックス１の底面全体（図３中Ｂ部）を照らすことができるものである。
【００１７】
また、実施の形態の更に他例として、制御回路８で制御する照明器具３のオン・オフの制御パターンを、取出し扉２の開放を検知した後にタイミングを遅延させて照明器具３を点灯させるように設定したことも好ましい。このように、取出し扉２の開放を検知した後にタイミングを遅延させて照明器具３を点灯させることで、メールボックス１の取出し扉２を開放した使用者は一旦暗い状態のメールボックス１の内部を見た後に照明により照らされた状態のメールボックス１の内部を見ることになり、そのギャップから上記使用者に視覚的にメールボックス１の内部をその照度以上に明るく感じさせることができるものである。なお、本例では、上記制御回路８のマイコン１０により、取出し扉２を開放した後の１秒後に照明器具３を点灯させるようにしている。これは、照明器具３の点灯を遅延させる時間を短くし過ぎると使用者への上記視覚的な効果が充分には期待できず、また、照明器具３の点灯を遅延させる時間を長くし過ぎると使用者にじれったさを感じさせたりメールボックス１の使い勝手が悪化してしまうことに鑑み、上記使用者の視覚的効果を引き出すのには１秒程度のタイムラグが適当であるからである。
【００１８】
【発明の効果】
上記のように本発明の請求項１記載の照明付きメールボックスにあっては、扁平な函状に形成したメールボックスの内部に照明器具を配置して形成した照明付きメールボックスにおいて、上記メールボックスに投函された郵便物を取出し得る取出し扉をメールボックスの一側面に設け、上記メールボックスの内面の上記取出し扉に対向する対向面に郵便投函孔を設け、この対向面に向って照明光を照射するように設定した照明器具をメールボックスの内面に設け、上記対向面に上記照明器具から照射される照明光を反射させる反射面を設けると共に、この反射面によって照明光を取出し扉方向に向って反射させたので、メールボックスの内面の上記取出し扉に対向する対向面に設けた反射面によって上記対向面に向って照明器具が照射した照明光をメールボックスの取出し扉に向って反射させてメールボックスの底面全体を照らすことができるものであって、特に、対向面に近接するメールボックスの底面、つまり、取出し扉から見て奥方部分のメールボックスの底面、を強く照らすことができるものであり、取出し扉を開放した際に最も暗くて見えにくかった取出し扉から見て奥方部分のメールボックスの内部を明るくしてメールボックスの内部に収納保管された郵便物を確認し易くし、また、取出し扉を開放した使用者は取出し扉に対向する対向面が目に入るものであるが、その対向面に設けた反射面が光源になっていることから、上記使用者に視覚的にメールボックスの内部がより明るい状態であるように感じさせることができ、更に、上記光源は照明光の間接光で構成されているために上記使用者に眩しさを感じさせることがないものである。
【００１９】
また、本発明の請求項２記載の照明付きメールボックスにあっては、請求項１の効果に加えて、対向面に向って照射する照明器具を複数個設け、メールボックスの内面の上記対向面近傍に上記照明器具のうち少なくとも一つを設けたので、メールボックスの内面の上記対向面の近傍に設けた照明器具が照明光をより強く対向面の反射面に当てることができて、上記反射面により反射させる光の照度を向上させて、より確実にメールボックスの底面全体を照らすことができるものである。
【００２０】
また、本発明の請求項３記載の照明付きメールボックスにあっては、請求項１の効果に加えて、取出し扉の開閉を検知する開閉検知手段をメールボックスに設け、開閉検知手段が取出し扉の開放を検知した後にタイミングを遅延させて照明器具を点灯させる制御手段を設けたので、取出し扉を開放した瞬間にはメールボックスの内部は暗い状態であって、その後、タイミングを遅延してメールボックスの内部が照明器具の点灯により照らされることから、メールボックスの取出し扉を開放した使用者は一旦暗い状態のメールボックスの内部を見た後に照明により照らされた状態のメールボックスの内部を見ることになり、そのギャップから上記使用者に視覚的にメールボックスの内部をその照度以上に明るく感じさせることができるものである。
【図面の簡単な説明】
【図１】本発明の実施の形態の例を示す透視斜視図である。
【図２】同上の制御回路を示す回路図である。
【図３】本発明の実施の形態の他例を示す透視斜視図である。
【図４】従来の例を示す透視斜視図である。
【図５】従来の例の宅配ボックスにメールボックスを載設した状態を示す正面図である。
【符号の説明】
１  メールボックス
１ａ  対向面
２  取出し扉
３  照明器具
４  反射面
７  照明制御ブロック
８  制御回路
【図１】
0003855643.tif 000002
【図２】
0003855643.tif 000003
【図３】
0003855643.tif 000004
【図４】
0003855643.tif 000005
【図５】
0003855643.tif 000006